(57)【要約】【課題】  主幹ブレーカの二次側にブロッキングフィルタの接続箇所がなくても当該フィルタを簡単に構成できるようにして、分電盤に対する電力線通信の信号漏れ対策や、分電盤を挟んだグループ間の干渉対策を容易に行える改修工法を提供する。【解決手段】  本発明は、主幹ブレーカ３及び分岐ブレーカ４とこれらを互いに接続する複数本のブスバー７とを備えた分電盤１に対して、電力線通信の信号通過を抑制する機能を付加するための分電盤１の改修工法であって、電力線通信の信号通過を抑制するブロッキングフィルタ１１の構成素子１３，１４を、複数本のブスバー７に直接取り付けるようにする。【選択図】      図２
2009016920.tif 000002
【特許請求の範囲】
【請求項１】
主幹ブレーカ及び分岐ブレーカとこれらを互いに接続する複数本のブスバーとを備えた分電盤に対して、電力線通信の信号通過を抑制する機能を付加するための分電盤の改修工法であって、
電力線通信の信号通過を抑制するブロッキングフィルタの構成素子を、前記複数本のブスバーに直接取り付けることを特徴とする分電盤の改修工法。
【請求項２】
前記主幹ブレーカと前記分岐ブレーカとの間に前記ブロッキングフィルタの構成素子の設置スペースがない場合に、前記主幹ブレーカを前記分電盤の筐体内で側方にずらして設置し、前記主幹ブレーカと既存の前記複数本のブスバーとの間に構成素子取り付け用の複数本の改造ブスバーを取り付ける請求項１に記載の分電盤の改修工法。
【請求項３】
前記ブロッキングフィルタは、前記複数本の改造ブスバーと、このブスバーに対して事前に一体に作り込んだ前記ブロッキングフィルタの構成素子とからなるフィルタユニットである請求項２に記載の分電盤の改修工法。
【請求項４】
前記ブロッキングフィルタの構成素子は、前記ブスバー間に挿入されるコンデンサと、そのブスバーの周囲を取り囲むように取り付けられる磁性体の組み合わせよりなる請求項１又は２に記載の分電盤の改修工法。
【請求項５】
前記コンデンサは、当該コンデンサに直列接続される遮断部材を経由して前記ブスバー間に挿入される請求項４に記載の分電盤の改修工法。
【請求項６】
前記磁性体は溝型断面に形成された一対のコアピースよりなり、これらのコアピース同士を、ギャップを有して互いに接合することで前記磁性体を構成する請求項４又は５に記載の分電盤の改修工法。
【請求項７】
別のブロッキングフィルタの構成素子を前記主幹ブレーカの一次側の配電路に取り付ける請求項１〜６のいずれか１項に記載の分電盤の改修工法。
【請求項８】
以下の工程（１）及び（２）を含むことを特徴とする電力線通信システムの構築方法。
（１）  分電盤から分岐する枝線に電力線通信を行うモデムを接続する工程
（２）  請求項１〜７のいずれか１項に記載の改修工法を前記分電盤に施工する工程
【発明の詳細な説明】
【技術分野】
【０００１】
本発明は、電力線通信の信号通過を抑制する機能を分電盤に付加するための分電盤の改修工法と、電力線通信システムの構築方法に関する。
【背景技術】
【０００２】
電力線通信（ＰＬＣ：Power Line Communication）は、電力線に高周波信号を重畳して高速通信を行う通信方式であり、新たに通信用ケーブルを設ける必要が無いという利点を有する（非特許文献１参照。）。また、近年、ＬＡＮ（ローカルエリアネットワーク）を構成する手段としての電力線通信が注目されている。
例えば、新規に通信線を敷設することが困難なホテルでは、既存の屋内配電線を信号伝送路とするＰＬＣが至便である。このようなホテルのＰＬＣ−ＬＡＮでは、各部屋にＰＬＣモデムの子機が設置され、一定の子機数ごとに親機が一台設置され、各フロアごとに親機と複数の子機との間でＬＡＮのグループが構成される。
【０００３】
しかし、屋内配電線は１つの変圧器の下で共通の電路であるため、信号伝送路が複数のグループに共有されている。信号伝送路の距離が長くなるとＰＬＣの通信はつながりにくくなるが、近接しているとつながりやすい。そのため、例えば、ある階の子機からその階の親機と通信を行いたいのに、他の階の親機とつながってしまい、通信の混乱が生じる場合があり得る。
また、一方の信号が他方から見てノイズとなり、正常な通信がし難くなり、信号の伝送速度が低下するという問題が生じ得る。その結果として、例えばＶＯＤ （ビデオオンデマンド)サービスの様な高速な情報提供に支障が出る恐れがある。
【０００４】
そこで、配電の起点となる分電盤の主幹ブレーカと分岐ブレーカとの間にブロッキングフィルタを設け、分岐ブレーカに繋がっているＰＬＣ−ＬＡＮの電力線通信の伝送信号（ＰＬＣ信号）がネットワーク外に漏洩するのを防止することが提案されている（特許文献１参照）。
【０００５】
【特許文献１】特開２００６−１１５４８１号公報（図６）
【非特許文献１】Interface、第７０〜８１頁、「電力線搬送（ＰＬＣ: Power Line Communication）の現状」、江藤潔著、ＣＱ出版社、２０００年９月
【発明の開示】
【発明が解決しようとする課題】
【０００６】
上記ＰＬＣ用のブロッキングフィルタもＬＣフィルタで構成することができるが、電力線には配電のための大電流が流れるため、ＰＬＣ用のブロッキングフィルタの場合は、電子機器に使用されるＬＣフィルタよりも格段に大型となる。
一方、分電盤の内部では、通常、主幹ブレーカと分岐ブレーカの間（二次側）は複数本のブスバーで接続されており、上記ＰＬＣ用のブロッキングフィルタを接続する箇所が予定されていないため、当該ブロッキングフィルタを主幹ブレーカの二次側に取り付けることが困難な場合が多い。
【０００７】
そこで、上記インダクタよりなるブロッキングフィルタを主幹ブレーカの一次側に設置することが考えられるが、この場合には、ブロッキングフィルタの設置作業の際に分電盤の大元の電源を切断する必要があり、停電の範囲が広範になるという問題がある。
本発明は、かかる従来の問題点に鑑み、主幹ブレーカの二次側にブロッキングフィルタの接続箇所がなくても当該フィルタを簡単に構成できるようにして、分電盤に対する電力線通信の信号漏れ対策や、分電盤を挟んだグループ間の干渉対策を容易に行える改修工法を提供することを目的とする。
【課題を解決するための手段】
【０００８】
本発明の分電盤の改修工法（請求項１）は、主幹ブレーカ及び分岐ブレーカとこれらを互いに接続する複数本のブスバーとを備えた分電盤に対して、電力線通信の信号通過を抑制する機能を付加するための分電盤の改修工法であって、電力線通信の信号通過を抑制するブロッキングフィルタの構成素子を、前記複数本のブスバーに直接取り付けることを特徴とする。
【０００９】
上記改修工法によれば、複数本のブスバーにブロッキングフィルタの構成素子を直接取り付けるようにしたので、複数本のブスバー自体をブロッキングフィルタの線路として利用することができる。このため、主幹ブレーカの二次側にブロッキングフィルタの接続箇所がなくても、その二次側に当該ブロッキングフィルタを簡単に構成することができる。
【００１０】
本発明の補修工法において、前記主幹ブレーカと前記分岐ブレーカとの間に前記ブロッキングフィルタの構成素子の設置スペースがない場合には、前記主幹ブレーカを前記分電盤の筐体内で側方にずらして設置し、前記主幹ブレーカと既存の前記複数本のブスバーとの間に構成素子取り付け用の複数本の改造ブスバーを取り付けるようにすればよい（請求項２）。
この場合、上記複数本の改造ブスバーにブロッキングフィルタの構成素子を直接取り付けることにより、複数本の改造ブスバー自体をブロッキングフィルタの線路として利用することができる。
【００１１】
また、本発明の補修工法において、前記ブロッキングフィルタは、前記複数本の改造ブスバーと、このブスバーに対して事前に一体に作り込んだ前記ブロッキングフィルタの構成素子とからなるフィルタユニットであることが好ましい（請求項３）。
上記改修工法によれば、改造ブスバーに対してブロッキングフィルタの構成素子を事前に一体に作り込んでいるので、その改造ブスバーを改修現場で取り付けるだけでブロッキングフィルタの取り付け作業が完了する。
【００１２】
このため、改修現場において煩雑な取付作業を行う必要がなくなり、改修現場での作業をより迅速化できるという利点がある。
なお、上記の「煩雑な取付作業」とは、例えば、ブスバーの周囲を取り囲むようにフェライトコアを取り付ける作業や、コンデンサのリード線を短くした状態でブスバーに接続する等の作業内容のことをいう。
【００１３】
本発明の補修工法において、前記ブロッキングフィルタの構成素子は、前記ブスバー間に挿入されるコンデンサと、そのブスバーの周囲を取り囲むように取り付けられる磁性体（例えば、フェライトコア等の強磁性体）の組み合わせより構成することができる（請求項４）。
この場合、コンデンサ単体或いは磁性体単体よりなるブロッキングフィルタの場合に比べて、ＰＬＣ信号の通過抑制効果をより向上することができる。
【００１４】
ところで、上記ブロッキングフィルタの構成要素となり得るコンデンサは、雷サージや過電圧の印加等によってブレークダウンする可能性があるので、ブスバー間に当該コンデンサを挿入すると電源断を発生させる危険性がある。
そこで、そのような電源断を防止するため、前記コンデンサは、当該コンデンサに直列接続される遮断部材を経由して前記ブスバー間に挿入されることが好ましい（請求項５）。
【００１５】
また、本発明の補修工法において、前記磁性体は溝型断面に形成された一対のコアピースよりなり、これらのコアピース同士を、ギャップを有して互いに接合することで前記磁性体を構成することが好ましい（請求項６）。
この場合、ギャップを有して互いに接合されるコアピース同士で前記磁性体を構成するので、負荷の交流電流が増大した時にブロッキング特性が低下するのを軽減することができる。
【００１６】
更に、本発明の補修工法において、別のブロッキングフィルタの構成素子を前記主幹ブレーカの一次側の配電路に取り付けるようにすれば（請求項６）、主幹ブレーカの二次側に設けた上記ブロッキングフィルタと相俟って、ＰＬＣ信号の通過抑制効果をより向上することができる。
【００１７】
本発明の電力線通信システムの構築方法（請求項８）は、以下の工程（１）及び（２）を含むことを特徴とする。
（１）  分電盤から分岐する枝線に電力線通信を行うモデムを接続する工程
（２）  上記改修工事方法を前記分電盤に施工する工程
この構築方法によれば、分電盤に対して電力線通信の信号漏れ対策が容易な上記改修工法を採用しているので、当該電力線通信システムの構築もより簡便になる。
【発明の効果】
【００１８】
以上の通り、本発明によれば、主幹ブレーカの二次側にブロッキングフィルタの接続箇所がなくても、その二次側に当該ブロッキングフィルタを簡単に構成できるので、分電盤に対する電力線通信の信号漏れ対策や、分電盤を挟んだグループ間の干渉対策を容易に行える。
【発明を実施するための最良の形態】
【００１９】
以下、図面を参照して、本発明の実施形態を説明する。
〔分電盤〕
図１は、本発明の改修方法に適した分電盤の内部構造を示す正面図である。
図１に示すように、この分電盤１は、開閉自在な蓋部材（図示せず）を有する前方開口状の中空箱体よりなる筐体２と、この筐体２の内部の上部よりに配置された主幹ブレーカ３と、筐体２の内部の下部よりに配置された複数（図例では８つ）の分岐ブレーカ４とを備えている。
【００２０】
筐体２の内部の背面板には、図示しない取付フレームが設けられており、この取付フレームに、上記主幹ブレーカ３や分岐ブレーカ４がねじ止めによって取り付けられている。本実施形態の分電盤１は単相三線方式であり、主幹ブレーカ３は一次側と二次側にそれぞれ三つの接点５，６を有している。
一次側の各接点５は、一方の活線Ｒ（以下、赤相Ｒ）に繋がる第一接点５Ｒと、他方の活線Ｂ（以下、黒相Ｂ）に繋がる第二接点５Ｂと、中性線Ｗ（以下、白相Ｗ）に繋がる第三接点５Ｗとからなる。
【００２１】
二次側の各接点６には、それぞれ、導電性を有する銅製のブスバー７がねじ止めによって接続され、これらのブスバー７は、赤相Ｒ用の第一ブスバー７Ｒと、黒相Ｂ用の第二ブスバー７Ｂと、白相Ｗ用の第三ブスバー７Ｗとからなる。
これら第一〜第三ブスバー７Ｒ，７Ｂ，７Ｗは、同じ横断面形状の真っ直ぐな銅製の板材よりなり、二列配置の分岐ブレーカ４の間、すなわち、左列の四つの分岐ブレーカ４と右列の四つの分岐ブレーカ４の間を通って下方に延設されている。
【００２２】
また、第一〜第三ブスバー７Ｒ，７Ｂ，７Ｗは、その上端部において主幹ブレーカ３の二次側の各接点６Ｒ，６Ｂ，６Ｗにねじ止めされ、互いに平行でかつ等間隔で並ぶ三列の状態で配列されている。そして、第一ブスバー７Ｒと第三ブスバー７Ｗは、左列の分岐ブレーカ４の二つの接点にそれぞれ接続され、第二ブスバー７Ｂと第三ブスバー７Ｗは、右列の分岐ブレーカ４の二つの接点にそれぞれ接続されている。
このため、各分岐ブレーカ４の接点には、赤相Ｒ又は黒相Ｂによる単相１００Ｖの交流電圧が印加されるようになっている。なお、分岐ブレーカ４の各接点に第一ブスバー７Ｒと第二ブスバー７Ｂを接続して、単相２００Ｖの交流電圧が印加される場合もある。
【００２３】
〔第一実施形態〕
図２（ａ）は、本発明の第一実施形態に係る改修工法を行った後の、主幹ブレーカ３とブロッキングフィルタ１１の正面図であり、図２（ｂ）はその側面図である。また、図２（ｃ）は同（ａ）のＡ−Ａ線断面図である。
図２に示すように、本実施形態は、電力線通信の伝送信号（ＰＬＣ信号）の通過を抑制するブロッキングフィルタ１１の構成素子を、主幹ブレーカ３の二次側に位置する各ブスバー７Ｒ，７Ｂ，７Ｗの平行部分に直接取り付けるようにしたものである。
【００２４】
上記ブロッキングフィルタ１１は、主幹ブレーカ３の二次側に位置するブスバー７間に挿入されるコンデンサ１３と、このブスバー７の周囲を取り囲むように取り付けられるフェライトコア１４に代表される磁性体の組み合わせよりなる。
このうち、図２に例示するフェライトコア１４は、一つのブスバー７を取り囲むことができる内空面１４Ａを備えており、そのうちの一つのブスバー（例えば、７Ｂ）を取り囲んだ状態において、隣接するブスバー（例えば、７Ｗ）と干渉しない断面形状に形成されている。
【００２５】
より具体的には、図２に例示するフェライトコア１４は、断面ほぼ正方形の筒状体よりなり、その内空断面の幅寸法はブスバー７の横断面をちょうど収納できるように、その板幅よりも若干大きい寸法に設定されている。
一方、フェライトコア１４の肉厚寸法は、当該フェライトコア１４の外周面が、他のブスバー７を取り囲む別のフェライトコア１４と干渉するのを防止すべく、ブスバー７同士の間隔の２分の１未満に設定されている。
【００２６】
もっとも、ブスバー７に対する装着後のコンパクト化をより徹底するには、後述するＰＬＣ信号の抑制作用が得られる限度において、フェライトコア１４の肉厚寸法を可及的に小さくするのが好ましい。
また、上記フェライトコア１４は、一方が開放された溝型断面に形成された同一断面形状の一対のコアピース１５，１５よりなり、このコアピース１５，１５の開放部分同士を互いに接合することにより、筒状の前記内空面１１が形成されている。
【００２７】
図２（ｃ）に示すように、断面ほぼ正方形の各フェライトコア１４は、それぞれが、横並びに配列された第一〜第三ブスバー７Ｒ，７Ｂ，７Ｗの横断面を取り囲んだ状態で配置され、隣接するフェライトコア１４同士の間には、例えばプラスチックや合成ゴム等の非磁性体よりなる絶縁シート１４Ｂが介在されている。
なお、各フェライトコア１４の固定方法は、それらの外周面にバインダ線（図示せず）で巻き付けて結束したり、或いは、接着剤で互いに接着したりする方法を採用することができる。
【００２８】
上記フェライトコア１４の構成材料は、電気的に絶縁性を有しかつ強磁性を示す金属酸化物よりなり、磁気飽和特性が周波数により変化する特性を有する。
例えば、交流信号に対する特性として周波数が１０Ｈｚ〜１ＭＨｚ程度までは比透磁率はほぼ一定であるが、それ以上では比透磁率が大きくなる周波数帯があり、商用電源の交流信号で飽和していても、１ＭＨｚ以上では飽和しない。従って、それほど大きなボリュームのフェライトコアを使用しなくても、ＰＬＣで使用する周波数帯（２〜３０ＭＨｚ）の信号をブロックすることができる。
【００２９】
つまり、商用交流電流に対しては材料が磁気飽和するまでは、そのインピーダンスにより抵抗分として作用するが、飽和してしまうと商用交流電流に対しては、それ以上抵抗とはならず通してしまうのに対し、ＰＬＣで使用する周波数帯の信号に対しては磁気飽和にならない領域がまだ残されているため抵抗分として作用し、信号の通過を抑制することになる。
従って、上記フェライトコア１４は、周波数５０又は６０Ｈｚの商用交流電流に対しては、実用上、送電に支障となるインピーダンスを発生させず、この点で存在しないのとほぼ同じである。
【００３０】
本実施形態のフェライトコア１４によれば、一つのブスバー７を取り囲むことができる内空面１１を備え、そのブスバー７を取り囲んだ際に他のブスバー７と干渉しない断面形状に形成されているので、図２に示すように、既存の複数本のブスバー７Ｒ，７Ｂ，７Ｗの取付位置や形状を変更しなくても、当該フェライトコア１４をブスバー７に取り付けることができる。
このため、主幹ブレーカ３やブスバー７の配置を変更することなく、主幹ブレーカ３の二次側にフェライトコア１４を設置することができる。
【００３１】
また、本実施形態のフェライトコア１４によれば、当該フェライトコア１４が、複数の溝型部品に分割構成されており、一方が開放された溝型断面に形成された同じ断面形状の一対のコアピース１５，１５よりなり、この一対のコアピース１５，１５の開放部分同士を互いに接合することで内空面１１が形成される構造になっている。
このため、フェライトコア１４を複数部品に分割構成するに当たってその構成部品が一種類となり、材料コストを低減できるという利点もある。
【００３２】
更に、一対のコアピース１５，１５は、その開放部分同士が非磁性体よりなる介在シート１６を介して互いに接合されており、これによって断面角筒状のフェライトコア１４が作製されている。このように、コアピース１５，１５が介在シート１６によってギャップを有して互いに接合されているので、負荷の交流電流増大時にブロッキング特性がやや低下する傾向があるのを軽減することができ、負荷電流が大きい時のブロッキング特性を向上することができる。
なお、かかるブロッキング特性の低下の防止を確実に達成するには、コアピース１５，１５間のギャップを０．５ｍｍ以下にすることが好ましい。
【００３３】
上記実施形態のフェライトコア１４において、その断面形状はほぼ正方形状のものに限るものではなく、長方形、円形及び楕円形等であってもよい。
また、フェライトコア１４は、一対のコアピース１５，１５ではなく、一体物の筒状体で構成することにしてもよい。もっとも、この場合には、主幹ブレーカ３の二次側のブスバー７をいったん取り外し、そのブスバー７を筒状体よりなるフェライトコア１４に挿通して同コア１０をブスバー７に装着してから、ブスバー７の取り付けをやり直す必要がある。
【００３４】
この点、本実施形態のように、一対の溝型断面のコアピース１５，１５でフェライトコア１４を分割構成した場合には、主幹ブレーカ３の二次側のブスバー７のうちの一つを、一対のコアピース１５，１５の溝型断面の内部に収納させた状態で挟み込むことにより、一つのブスバー７をフェライトコア１４で取り囲むことができる。
このため、主幹ブレーカ３の二次側に上記の作業を行う作業スペースがあれば、ブスバー７を取り外さないでフェライトコア１４を当該ブスバー７に直接取り付けることができ、この点でフェライトコア１４の取り付け作業が簡便になる。
【００３５】
図３は、コンデンサ１３をブスバー７に接続するのに適したコンデンサ接続ユニット１７を示している。
このユニット１７は、複数本（図例では二本）のブスバー７を挟み込んだ状態で互いに接合される一対の接合フレーム１８Ａ，１８Ｂと、一方の接合レーム１８Ａに設けられた前記コンデンサ１３と、同フレーム１８Ａに設けられたヒューズ等よりなる遮断部材１９と、接合フレーム１８Ａ，１８Ｂの両端部同士を互いに締結するための止めねじ２０とを備えている。
【００３６】
一対の接合フレーム１８Ａ，１８Ｂは断面矩形の中実棒状材よりなり、左右一対の長方形状の収納溝２１を互いの接合面に有している。これらの収納溝２１はブスバー７とほぼ同じ断面寸法である。
従って、各収納溝２１内に一対のブスバー７をそれぞれ収納して両接合フレーム１８Ａ，１８Ｂを互いに接合し、その接合フレーム１８Ａ，１８Ｂの両端部を止めねじ２０で締結することにより、一対のブスバー７が厚さ方向から挟み込まれ、その一対のブスバー７間に接合フレーム１８Ａ，１８Ｂを架け渡した状態で取り付けられるようになっている。
【００３７】
また、一対の接合フレーム１８Ａ，１８Ｂは、コンデンサ１３及び遮断部材１９が取り付けられた第一フレーム１８Ａと、これらを有しない第二フレーム１８Ｂとからなる。このうち、第一フレーム１８Ａには、当該フレーム１８Ａをその上面から収納溝２１に至って貫通する、導電性を有する一対の接続ピン２２が設けられている。
この各接続ピン２２は、先が尖った先端部を有し、第一フレーム１８Ａの上面から収納溝２１の底までの距離よりも、やや長寸になっている。
【００３８】
また、各接続ピン２２は、ブスバー７への取り付け前の状態においては、先端部が収納溝２１内に到達しないように、基端部が第一フレーム１８Ａの上面から突出している。この各接続ピン２２の突出端部には、コンデンサ１３及び遮断部材１９の一方の端子がそれぞれ接続されており、このコンデンサ１３及び遮断部材１９のもう一方の端子同士は互いに直結されている。
【００３９】
従って、一対のブスバー７間に接合フレーム１８Ａ，１８Ｂを架け渡した状態で取り付けた後、各接続ピン２２の突出端部を押し込むと、接合フレーム１８Ａ，１８Ｂの収納溝２１に収納されたブスバー７に接続ピン２２の先端が突き立てられて接触し、これにより、コンデンサ１３が遮断部材１９を経由して一対のブスバー７間に挿入されるようになっている。
なお、図３の例では、遮断部材１９としてヒューズを採用しているが、この遮断部材１９はヒューズ機能とスイッチ機能を兼ね備えたブレーカであってもよい。
【００４０】
図２に戻り、本実施形態では、主幹ブレーカ３の二次側のブスバー７が十分に長く、コンデンサ１３やフェライトコア１４を設置するための上下スペースがある。
そこで、本実施形態では、第一接点６Ｒに通じる第一ブスバー７Ｒ、第二接点６Ｂに通じる第二ブスバー７Ｂ及び第三接点６Ｗに通じる第三ブスバー７Ｗのそれぞれに、フェライトコア１４を上下方向の距離を離して取り付け、これらのフェライトコア１４の間に、二つのコンデンサ接続ユニット１７を取り付けている。
【００４１】
上記二つのコンデンサ接続ユニット１７は、第一ブスバー７Ｒと第三ブスバー７Ｗの間にコンデンサ１３を挿入するもの（図２の下側のユニット１７）と、第二ブスバー７Ｂと第三ブスバー７Ｗの間にコンデンサ１３を挿入するもの（図２の上側のユニット１７）とがあり、これにより、Ｌ＋Ｃ＋Ｌ構造のＬＣ回路よりなるブロッキングフィルタ１１が、主幹ブレーカ３の二次側に位置する既存のブスバー７に直接取り付けられている。
【００４２】
このように、本実施形態の改修工法によれば、複数本のブスバー７の平行部分にブロッキングフィルタ１１の構成素子（コンデンサ１３やフェライトコア１４）を直接取り付けるようにしたので、複数本のブスバー７自体をブロッキングフィルタ１１の線路として利用することができる。このため、主幹ブレーカ３の二次側にブロッキングフィルタ１１の接続箇所がなくても、その二次側に当該ブロッキングフィルタ１１を簡単に設置することができる。
【００４３】
また、本実施形態によれば、上記ブロッキングフィルタ１１の構成素子が、主幹ブレーカ３の二次側に位置するブスバー７間に挿入されるコンデンサ１３と、そのブスバー７の周囲を取り囲むように取り付けられるフェライトコア１４の組み合わせよりなるので、コンデンサ１３単体或いはフェライトコア１４単体よりなるブロッキングフィルタ１１の場合に比べて、ＰＬＣ信号の通過抑制効果をより向上することができる。
更に、本実施形態によれば、コンデンサ１３がヒューズ機能を有する遮断部材１９を経由して被覆電線１２間に挿入されているので、コンデンサ１３を設けたことに伴う、雷サージや過電圧の印加等による電源断の危険性を減少させることができる。
【００４４】
〔第二実施形態〕
図４は、本発明の第二実施形態に係る改修工法を示し、（ａ）は改修前の分電盤１の正面図であり、（ｂ）は改修後の分電盤１の正面図である。
図４（ａ）に示すように、主幹ブレーカ３と分岐ブレーカ４との間の上下方向距離が小さ過ぎる場合、主幹ブレーカ３の二次側に十分に広いスペースがなく、このままでは、二次側の既設のブスバー７にブロッキングフィルタ１１の構成素子を取り付ける本発明の改修工法を実施できない。
【００４５】
そこで、本実施形態では、図４（ｂ）に示すように、主幹ブレーカ３を分電盤１の筐体２内で側方に移動させ、移動後の主幹ブレーカ３と既設のブスバー７の間に、構成素子取り付け用の改造ブスバー２４を架設している。
従って、かかる横向きの改造ブスバー２４に対して、フェライトコア１４やコンデンサ１３を取り付けるようにすれば、ブロッキングフィルタ１１を構成することができる。
【００４６】
図５は、上記改造ブスバー２４の一例を示す平面図であり、（ａ）は同改造ブスバー２４の平面図、（ｂ）は同改造ブスバー２４の正面図である。
この改造ブスバー２４は、主幹ブレーカ３の二次側の接点６に対する取付高さがそれぞれ異なり、これにより、各ブスバー２４の平行部分を三段積みの状態で配列することができる。このため、例えば図５（ｂ）に示すように、その三段積み状態で配列された複数本のブスバー２４にフェライトコア１４を取り付けることにより、ブロッキングフィルタ１１を構成することができる。
【００４７】
また、図６は、上記改造ブスバー２４の別例を示すための分電盤１の正面図である。
この改造ブスバー２４は、主幹ブレーカ３を側方に移動させることによってできた空きスペースに張り出しており、そのスペース内で方形枠状に組み立てられている。そして、この方形枠状の改造ブスバー２４に対して、フェライトコア１４と前記コンデンサ接続ユニット１７を取り付けることにより、Ｌ＋Ｃ＋Ｌ構造のＬＣ回路よりなるブロッキングフィルタ１１を構成することができる。
【００４８】
一方、図５及び図６に示す改造ブスバー２４に対して、フェライトコア１４やコンデンサ接続ユニット１７を事前に一体に作り込んでフィルタユニット２５を製作しておき、このフィルタユニット２５を改修現場に持ち込んで、主幹ブレーカ３の二次側に設置するようにしてもよい。
かかるフィルタユニット２５を使用すれば、分電盤１に対する現場でのコンデンサ１３やフェライトコア１４の取り付け作業が不要となり、施工がより簡便になる。
【００４９】
なお、図５では、フェライトコア１４のみをブスバー２４に取り付けたもフィルタユニット２５を例示しているが、更にコンデンサ１３を事前に取り付けたユニット２５にすることにしてもよい。
【００５０】
〔第三実施形態〕
図７及び図８は、本発明の第三実施形態に係る改修工法を示している。
本実施形態では、主幹ブレーカ３の二次側にあるブスバー７にブロッキングフィルタ１１の構成素子を設置するだけでなく、更に、別のブロッキングフィルタ２６の構成素子を主幹ブレーカ３の一次側にも設置している。
【００５１】
このうち、図７に示す例では、主幹ブレーカ３の一次側の接点５に接続されている被覆電線１２のそれぞれに、フェライトコア２７を取り付けることによってブロッキングフィルタ２６が構成されている。
他方、図８に示す例では、図７において二次側に設置されているコンデンサ接続ユニット１７を取り止め、二次側のブロッキングフィルタ１１の構成素子をフェライトコア１４のみとし、その代わりに、コンデンサ接続ユニット１７を一次側の被覆電線１２に付加することにより、一次側においてＬ＋Ｃ構造のＬＣ回路を構成している。
【００５２】
もっとも、万一、コンデンサ１３がブレークダウンした場合の電源断の影響を考慮すると、コンデンサ１３を一次側に設置する場合（図８）よりも、コンデンサ１３を二次側に設置する場合（図７）の方が好ましい。
【００５３】
〔電力線通信システム〕
図９は、電力線通信（ＰＬＣ）システムを適用したホテルの配線系統図である。
図９に示すＰＬＣシステム３０は、６階建てのホテル３１に適用したものであり、２〜６階が客室となっている。ホテル３１の屋上には受電用のキュービクル３２が設置され、このキュービクル３２から延びる配電用の幹線３３が、各階のダクトスペース３４内に設置された前記分電盤１に引き込まれている。このため、各階での各部屋へのコンセントや照明等の給電は、同一階の分電盤１から延びる枝線３５から行われる。
【００５４】
各部屋への配電のための幹線３３と枝線３５が敷設された上記ホテル３１にＰＬＣシステム３０を構築するには、分電盤１から分岐する枝線３５に対して、電力線通信を行う各モデムＭＳ，ＬＳをそれぞれ接続する工程と、ＰＬＣ信号の通過を抑制する機能を分電盤１に付加する改修工事を行う工程とを、各階で順次行うようにすればよい。
【００５５】
そこで、図９に示すホテル３１では、ＰＬＣモデムの親機ＭＳが、各階の分電盤１から延びる枝線３５に接続され、ダクトスペース３４内に収納されている。
この親機ＭＳは、光通信で外部ネットワークと繋がるメディアコンバータ（図示せず）と接続されており、そのコンバータとの間でイーサネット（登録商標）での信号の送受信を行い、子機ＬＳとの間では、電力線（枝線３５）を通信媒体としてＰＬＣ信号の送受信を行う。
【００５６】
一方、ＰＬＣモデムの子機ＬＳは、各階の各部屋（一部でも全部でもよい。）に設置され、その各部屋のコンセントを通じて、分電盤１から延びる枝線３５に接続されている。従って、各階に一つずつ設置された親機ＭＳとその配下の複数の子機ＬＳにより、一つのＬＡＮ（ローカルエリアネットワーク）が構成される。
上記ＰＬＣシステム３０において、各階の分電盤１には、これまで説明したブロッキングフィルタ１７を内部に設ける改修工事が施され、これにより、ＰＬＣ信号の通過を抑制する機能が当該分電盤１に付加されている。
【００５７】
すなわち、主幹ブレーカ３及び分岐ブレーカ４とこれらを互いに接続する複数本のブスバー７とを備えた各階の分電盤１に対し、その主幹ブレーカ３の二次側のブスバー７にフェライトコア１４やコンデンサ１３を取り付けたり、或いは、事前にフィルタ構成素子を有する改造ブスバー２４をその二次側に設けたりすることにより、ＰＬＣ信号の通過を抑制する機能を付加する改修工事が、各階の分電盤１に施される。
【００５８】
従って、このようなＰＬＣ信号の通過抑制機能が付加された分電盤１により、ＰＬＣ信号が異なる階に跨って送受信されることが防止され、ネットワーク外へのＰＬＣ信号の漏洩が防止される。換言すると、ＰＬＣ信号による通信範囲が、各階のＬＡＮ内での通信に制限される。
そして、本実施形態では、主幹ブレーカ３の二次側のブスバー７にブロッキングフィルタ１１の構成素子を直接取り付けているので、ＰＬＣ信号の漏れ対策のための分電盤１の改修工事の作業が容易になる。このため、ＬＡＮ間の信号漏れを抑制するＰＬＣシステム３０の構築作業も簡単になる。
【００５９】
なお、図９では、ホテル３１の配線系統図を例示しているが、集合住宅や戸建て住宅の場合にも、本発明のフェライトコア１４や改造用ブスバー２４を適用することができ、この場合、ＰＬＣ信号の通過抑制機能が分電盤１に付加されることにより、他の住宅への信号の漏洩を防止することができる。
【００６０】
上記実施形態はすべて例示であり本発明の範囲を制限するものではない。本発明の範囲は、上記実施形態ではなく特許請求の範囲によって示され、特許請求の範囲の構成と均等の範囲内での変更が含まれる。
【図面の簡単な説明】
【００６１】
【図１】本発明の改修工法に適した分電盤の内部構造を示す正面図である。
【図２】（ａ）は第一実施形態に係る改修工法を行った後の、主幹ブレーカとブロッキングフィルタの正面図、（ｂ）はその右側面図、（ｃ）は（ａ）のＡ−Ａ線断面図である。
【図３】（ａ）はコンデンサ接続ユニットの正面図、（ｂ）はその左側面図、（ｃ）はその右側面図、（ｄ）はその取り付け状態を示す平面図である。
【図４】第二実施形態に係る改修工法を示し、（ａ）は改修前の分電盤の正面図であり、（ｂ）は改修後の分電盤の正面図である。
【図５】（ａ）は改造ブスバーの一例を示す平面図、（ｂ）は同ブスバーの側面図である。
【図６】改造ブスバーの別例を示すための分電盤の正面図である。
【図７】第三実施形態に係る改修工法を行った後の、主幹ブレーカとブロッキングフィルタの正面図、（ｂ）はその右側面図である。
【図８】第三実施形態に係る改修工法を行った後の、主幹ブレーカとブロッキングフィルタの正面図、（ｂ）はその右側面図である。
【図９】電力線通信システムを適用したホテルの配線系統図である。
【符号の説明】
【００６２】
１：分電盤  ２：筐体  ３：主幹ブレーカ  ４：分岐ブレーカ
５：一次側の接点  ５Ｒ：第一接点  ５Ｂ：第二接点  ５Ｗ：第三接点
６：二次側の接点  ６Ｒ：第一接点  ６Ｂ：第二接点  ６Ｗ：第三接点
７：ブスバー  ７Ｒ：第一ブスバー  ７Ｂ：第二ブスバー  ７Ｗ：第三ブスバー
１１：ブロッキングフィルタ
１２：被覆電線  １２Ｒ：第一電線  １２Ｂ：第二電線  １２Ｗ：第三電線
１３：コンデンサ  １４：フェライトコア  １５：コアピース  １６：介在シート
１７：コンデンサ接続ユニット  １８Ａ：接合フレーム  １８Ｂ：接合フレーム
１９：遮断部材  ２０：止めねじ  ２１：収納溝  ２２：接続ピン
２４：改造ブスバー  ２５：フィルタユニット  ２６：ブロッキングフィルタ
２７：フェライトコア
３０：ＰＬＣシステム  ３１：ホテル  ３２：キュービクル  ３３：幹線
３４：ダクトスペース  ３５：枝線
【図１】
2009016920.tif 000003
【図２】
2009016920.tif 000004
【図３】
2009016920.tif 000005
【図４】
2009016920.tif 000006
【図５】
2009016920.tif 000007
【図６】
2009016920.tif 000008
【図７】
2009016920.tif 000009
【図８】
2009016920.tif 000010
【図９】
2009016920.tif 000011